【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
被写体像を光電変換して生成されたカラー画像に基づいて、前記カラー画像における領域ごとの色の滲みの強度の推定値を算出する推定手段と、
前記推定値を用いて前記カラー画像の色の滲みを除去する除去手段と、を有し、
前記推定手段は、前記カラー画像を複数のプレーンの信号に分けて、前記除去手段で色の滲みの除去対象とするプレーン以外のプレーンを基準プレーンとし、前記除去対象とするプレーンの信号の強度と前記基準プレーンの信号の強度の差に応じて前記推定値を算出することを特徴とする画像処理装置。
【請求項２】
前記推定手段は、前記除去対象とするプレーンの信号が飽和しているが前記基準プレーンの信号が飽和していない領域と、前記除去対象とするプレーンの信号および前記基準プレーンの信号が飽和していない領域とで、前記推定値を異なる方法で算出することを特徴とする請求項１に記載の画像処理装置。
【請求項３】
前記推定手段は、前記除去対象とするプレーンの信号が飽和しているが前記基準プレーンの信号が飽和していない領域においては、前記基準プレーンの信号が前記飽和している領域から離れるに従い、前記推定値を増加させることを特徴とする請求項２に記載の画像処理装置。
【請求項４】
前記推定手段は、前記除去対象とするプレーンの信号が飽和する領域の半径と前記基準プレーンの信号が飽和する領域の半径の差が大きくなるに従い、前記推定値を増加させることを特徴とする請求項３に記載の画像処理装置。
【請求項５】
前記推定手段は、前記除去対象とするプレーンの信号および前記基準プレーンの信号が飽和していない領域においては、前記除去対象とするプレーンの信号が飽和している領域から離れるに従い、前記推定値を減少させることを特徴とする請求項２乃至４のいずれか１項に記載の画像処理装置。
【請求項６】
前記推定手段は、前記除去対象とするプレーンの信号が飽和しているが前記基準プレーンの信号が飽和していない領域では、前記基準プレーンの信号の強度の傾斜を用いて前記推定値を算出し、前記除去対象とするプレーンの信号および前記基準プレーンの信号が飽和していない領域では、前記除去対象とするプレーンの信号の強度の傾斜を用いて前記推定値を算出することを特徴とする請求項２に記載の画像処理装置。
【請求項７】
前記推定手段は、前記除去対象とするプレーンの信号の飽和の程度に応じた比で、前記基準プレーンの信号の強度の傾斜を用いて得た値と前記除去対象とするプレーンの信号の強度の傾斜を用いて得た値を混合して前記推定値を算出することを特徴とする請求項１に記載の画像処理装置。
【請求項８】
前記推定手段は、被写体像の像高、あるいは、被写体像を結像させる結像光学系の状態によって、前記推定値を変化させる比率を変化させることを特徴とする請求項２乃至７のいずれか１項に記載の画像処理装置。
【請求項９】
被写体像を光電変換して生成されたカラー画像に基づいて、前記カラー画像における領域ごとの色の滲みの強度の推定値を算出する推定手段と、
前記推定値を用いて前記カラー画像の色の滲みを除去する除去手段と、
前記カラー画像を複数のプレーンの信号に分けて、前記除去手段で色の滲みの除去対象とするプレーン以外のプレーンを基準プレーンとし、該基準プレーンの信号の強度に対する非線形変換を行う空間演算手段と、を有し、
前記推定手段は、前記空間演算手段による非線形変換の結果を用いて前記推定値を算出することを特徴とする画像処理装置。
【請求項１０】
前記非線形変換は、前記基準プレーンの信号が飽和しているか否かの２値への変換であることを特徴とする請求項９に記載の画像処理装置。
【請求項１１】
前記空間演算手段は、前記非線形変換を受けた値に対してコンボリューション処理を行い、
前記コンボリューション処理のカーネルは、像位置あるいは撮影時の結像光学系の状態によって変化する複数の結像光学系の点拡がり関数を包絡することを特徴とする請求項１０に記載の画像処理装置。
【請求項１２】
被写体像を光電変換して生成されたカラー画像に基づいて、前記カラー画像における領域ごとの色の滲みの強度の推定値を算出する推定工程と、
前記推定値を用いて前記カラー画像の色の滲みを除去する除去工程と、を有し、
前記推定工程では、前記カラー画像を複数のプレーンの信号に分けて、前記除去工程で色の滲みの除去対象とするプレーン以外のプレーンを基準プレーンとし、前記除去対象とするプレーンの信号の強度と前記基準プレーンの信号の強度の差に応じて前記推定値を算出することを特徴とする画像処理方法。
【請求項１３】
被写体像を光電変換して生成されたカラー画像に基づいて、前記カラー画像における領域ごとの色の滲みの強度の推定値を算出する推定工程と、
前記推定値を用いて前記カラー画像の色の滲みを除去する除去工程と、
前記カラー画像を複数のプレーンの信号に分けて、前記除去工程で色の滲みの除去対象とするプレーン以外のプレーンを基準プレーンとし、該基準プレーンの信号の強度に対する非線形変換を行う空間演算工程と、を有し、
前記推定工程では、前記空間演算工程における非線形変換の結果を用いて前記推定値を算出することを特徴とする画像処理方法。
【請求項１４】
請求項１２または請求項１３に記載の画像処理方法をコンピュータに実行させるためのプログラム。
【請求項１５】
被写体像を光電変換する撮像手段と、
請求項１乃至１１のいずれか１項に記載の画像処理装置と、
を具備することを特徴とする撮像装置。
【手続補正２】
【補正対象書類名】明細書
【補正対象項目名】発明の名称
【補正方法】変更
【補正の内容】
【発明の名称】画像処理装置及び撮像装置及び画像処理方法及びプログラム
【手続補正３】
【補正対象書類名】明細書
【補正対象項目名】００１２
【補正方法】変更
【補正の内容】
【００１２】
上述した課題を解決し、目的を達成するために、本発明に係わる画像処理装置は、被写体像を光電変換して生成されたカラー画像に基づいて、前記カラー画像における領域ごとの色の滲みの強度の推定値を算出する推定手段と、前記推定値を用いて前記カラー画像の色の滲みを除去する除去手段と、を有し、前記推定手段は、前記カラー画像を複数のプレーンの信号に分けて、前記除去手段で色の滲みの除去対象とするプレーン以外のプレーンを基準プレーンとし、前記除去対象とするプレーンの信号の強度と前記基準プレーンの信号の強度の差に応じて前記推定値を算出することを特徴とする。
また、本発明に係わる画像処理装置は、被写体像を光電変換して生成されたカラー画像に基づいて、前記カラー画像における領域ごとの色の滲みの強度の推定値を算出する推定手段と、前記推定値を用いて前記カラー画像の色の滲みを除去する除去手段と、前記カラー画像を複数のプレーンの信号に分けて、前記除去手段で色の滲みの除去対象とするプレーン以外のプレーンを基準プレーンとし、該基準プレーンの信号の強度に対する非線形変換を行う空間演算手段と、を有し、前記推定手段は、前記空間演算手段による非線形変換の結果を用いて前記推定値を算出することを特徴とする。
【手続補正４】
【補正対象書類名】明細書
【補正対象項目名】００１３
【補正方法】変更
【補正の内容】
【００１３】
また、本発明に係わる画像処理方法は、被写体像を光電変換して生成されたカラー画像に基づいて、前記カラー画像における領域ごとの色の滲みの強度の推定値を算出する推定工程と、前記推定値を用いて前記カラー画像の色の滲みを除去する除去工程と、を有し、前記推定工程では、前記カラー画像を複数のプレーンの信号に分けて、前記除去工程で色の滲みの除去対象とするプレーン以外のプレーンを基準プレーンとし、前記除去対象とするプレーンの信号の強度と前記基準プレーンの信号の強度の差に応じて前記推定値を算出することを特徴とする。
また、本発明に係わる画像処理方法は、被写体像を光電変換して生成されたカラー画像に基づいて、前記カラー画像における領域ごとの色の滲みの強度の推定値を算出する推定工程と、前記推定値を用いて前記カラー画像の色の滲みを除去する除去工程と、前記カラー画像を複数のプレーンの信号に分けて、前記除去工程で色の滲みの除去対象とするプレーン以外のプレーンを基準プレーンとし、該基準プレーンの信号の強度に対する非線形変換を行う空間演算工程と、を有し、前記推定工程では、前記空間演算工程における非線形変換の結果を用いて前記推定値を算出することを特徴とする。
【手続補正５】
【補正対象書類名】明細書
【補正対象項目名】００１５
【補正方法】削除
【補正の内容】